(57)【要約】【課題】  折畳みが容易な上、簡単に使用状態に展開でき、なおかつ軽量小型で携帯に便利であること、利用者の体形に合わせた高さ調節が可能であること、生産上では量産が可能である携帯用正座椅子を提供すること。【解決手段】  尻を着座させる座板と、該座板の両端をＶ字状に支える脚とから成る正座用椅子において、  前記座板が一対の分割座板１を雌雄係合部６、５で係合し、両分割座板１の外端部裏面に軸嵌合部７を設けて成り、  前記脚がＶ字状にその下端相互を雌雄係合部１８、１７で回動自在に係合する一対の支持脚３と、各支持脚３に上下位置決め自在に歯合し、それぞれ上端に前記分割座板１の軸嵌合部７に嵌合する軸１３を設けた一対の調節脚２とから成る。  また、一対の分割座板１と、一対の調節脚２と、一対の支持脚３は量産向きなものとしてそれぞれ同一のものが提供される。【選択図】  図１
2005261823.tif 000002
【特許請求の範囲】
【請求項１】
尻を着座させる座板と、該座板の両端をＶ字状に支える脚とから成る正座用椅子において、
前記座板が一対の分割座板を雌雄係合部で係合し、両分割座板の外端部裏面に軸嵌合部を設けて成り、
前記脚がＶ字状にその下端相互を雌雄係合部で回動自在に係合する一対の支持脚と、各支持脚に上下位置決め自在に歯合し、それぞれ上端に前記分割座板の軸嵌合部に嵌合する軸を設けた一対の調節脚とから成る携帯用正座椅子。
【請求項２】
前記一対の分割座板と、一対の支持脚と、一対の調節脚とがそれぞれ同一である請求項１記載の携帯用正座椅子。
【発明の詳細な説明】
【技術分野】
【０００１】
本発明は腰掛けの分野に属し、構造を特徴とする携帯用正座椅子に関する。
【背景技術】
【０００２】
正座状態の尻を着座させる座板をＶ字状の脚で支持する座椅子は、実開平０２−４７９４９号公報及び実開平０２−１００５５８号公報に開示されているが、前者は部材点数が少ないが布張り腰かけ台と脚板が連接されないから脚板が外れ易く、折畳み状態も両者が別々であるから紛失し易く、脚板の高さ調節もできない。後者は座板片と脚板片及び各脚板片相互の接合が組立構造による接合でないために前者と仝様の問題がある。
【特許文献１】実開平０２−４７９４９号公報
【特許文献２】実開平０２−１００５５８号公報
【発明の開示】
【発明が解決しようとする課題】
【０００３】
本発明は、簡単に使用状態に展開でき、利用者の体形に合わせた高さ調節が可能で、量産が可能な携帯用正座椅子を提供しようとするものである。
【課題を解決するための手段】
【０００４】
請求項１に記載した携帯用正座椅子は、尻を着座させる座板と、該座板の両端をＶ字状に支える脚とから成る正座用椅子において、
前記座板が一対の分割座板を雌雄係合部で係合し、両分割座板の外端部裏面に軸嵌合部を設けて成り、
前記脚がＶ字状にその下端相互を雌雄係合部で回動自在に係合する一対の支持脚と、各支持脚に上下位置決め自在に歯合し、それぞれ上端に前記分割座板の軸嵌合部に嵌合する軸を設けた一対の調節脚とから成る。
請求項２に記載した携帯用正座椅子は、請求項１に記載した携帯用正座椅子において、
一対の分割座板と、一対の調節脚と、一対の支持脚がそれぞれ同一である。
【発明の効果】
【０００５】
本発明の携帯用正座椅子によれば、各構成部材が接合状態で折り畳まれるから携帯に便利である上、使用に当たっては調節脚を介して分割座板の高さが調節できて利用者に自由度が広く、生産上では分割座板と支持脚と調節脚との一対ずつの接合によって組立てできるから量産向きである。
【発明を実施するための最良の形態】
【０００６】
分割座板及び支持脚における雌雄係合部は、幅方向前方に雄係合部を配設し、後方に雌係合部を配設するものから、前後を逆にして前方に雌係合部を設け、後方に雄係合部を設けることもでき、また、支持脚からの調節脚の抜け止めとして支持脚の中央部に立設する抜け止め爪に代えて、支持脚の両壁部の所要位置に所要感覚で底部に至る一対のスリットを設け、該スリット間の歯形の上端に調節脚の歯形に被さるフックを設けることもできる。このほか、支持脚に調節脚を歯合する各歯形の成形角度を垂直に代えて支持脚の下端に向けて降下する所要の傾斜角とすることにより、調節脚に分割座板からの押圧荷重が負荷されたときに、調節脚が支持脚から脱却し難くできる。この場合には抜け止め爪の省略も考えられる。
【実施例】
【０００７】
本発明を実施例により説明すると、図１に示すように携帯用正座椅子Ａは、一対の分割座板１と、両分割座板１をそれぞれ支持する調節脚２と、各調節脚２と上下調節自在に歯合し下端で相互に回動自在に係合する一対の支持脚３との３部品から成る。
上記各部品から説明すると、一対の分割座板１は左右が同一構造であるから、右側の分割座板１で説明すると、図３に示すように、屈曲自在な合成樹脂製の所要板厚所要面積の座板本体４は、左方には幅方向の前後にそれぞれ雄係合部５と雌係合部６が設けられ、右方の裏面には図４乃至図６に示すように、軸挿入部を絞り状に開口した軸嵌合部７を３個所設けて成り、雄係合部５は所要幅、所要長さの横部材８の先端部の下面に図５に示すように所要幅、所要長さの縦部材９が一体にされた横向きＴ字状に形成され、雌係合部６は縦部材９の長さと同寸の幅で所要長さの係合座１０と、係合座１０の幅方向中央で長手方向に沿って設けた横部材８の幅を挿入する幅と長さの抜き溝１１と、抜き溝１１の先端部で図６に示すように、係合座１０の下面に設ける係止座１２とから成る。したがって、右側の分割座板１に左側の分割座板１を仮想線で示すように対向配設して組み付けると、右方の雄係合部５には左方の雌係合部６が対応し、右方の雌係合部６には左方の雄係合部５が対応し、雄係合部５の横部材８が捩り曲げられてその縦部材９が雌係合部６の抜き溝１１から挿入され、係止座１２に雄係合部５の横部材８の下面が係止されるとともに、縦部材９の上面が雌係合部６の係合座１０の下面に係着されて各一対の雌雄係合部５、６が係合し左右一対の分割座板１が接合される。
一対の調節脚２も左右が同一構造であるから右方のもので説明すると、図７乃至図９に示すように、平面横長矩形状の硬質合成樹脂製の枠体で、左方に分割座板１の軸嵌合部７に嵌合する軸１３が設けられ、長手方向に沿う両外側面には歯合部として多数の歯形１４が形成され、内部の逆凹状の案内部１５には図１０に示すように２列のスリット１６が所要長さに渡って貫設されて成る。
一対の支持脚３も左右が同一構造であるから右方のもので説明すると、平面横長矩形状の硬質合成樹脂製の枠体で、図１１及び図１２に示すように、左方にはそれぞれ幅方向前後に雄係合部１７と雌係合部１８が設けられ、内部の長手方向に沿う両内壁１９には図１５に示すように、調節脚２の両外側面に配設した歯形１４に歯合する多数の歯形２０が形成され、中央部の調節脚２の案内部１５に嵌着する凸部２１には２列に位相をずらして図１３に示すように、抜け止め爪２２を立設し、各抜け止め爪２２はその上下に切り込まれたスリット２３によって幅方向へ前後に揺動自在とされるとともに、底板２４には調節脚２を外すための抜き穴２５が貫設される。
すなわち、雄係合部１７は所要径の嵌合軸２６に所要長さの抜け止めキー２７が立設されて成り、雌係合部１８は図１４に示すように、前後に嵌合軸２６に嵌合する嵌合穴２８を開口するとともに、後方には抜け止めキー２７の挿通溝２９を切り欠き、両嵌合穴２８、２８間を抜け止めキー２７の頂面が回転できる空室３０を形成した円筒軸受３１から成り、左方の支持脚３は図１１の仮想線で示すように対向配設され、一方の雄係合部１７が他方の雌係合部１８に嵌入され、一方の雌係合部１８に他方の雄係合部１７が嵌入して相互に回動自在に係合される。係合時には使用状態や折畳み時の接合角度より広角状態で、嵌合軸２６の抜け止めキー２７が嵌合穴２８の挿通溝２９に挿通されるから、使用状態や折畳み状態では抜け止めキー２７は挿通溝２９に連通しない状態で空室３０にあって両者の嵌合軸２６は円筒軸受３１から抜け出すことなく確実に軸支される。
このようにして成る支持脚３は両内壁１９に形成された歯形２０に適宜な伸長姿勢で嵌入された調節脚２の両外側面の歯形１４を歯合させ、両抜け止め爪２２を調節脚２のスリット１６から挿入してそのフック部３２を調節脚２の案内部１５に係止して調節脚２の抜け止めが図られ、両調節脚２の上端の軸１３がそれぞれ各分割座板１の下面に設けた軸嵌合部７に回動自在に嵌合して図１に示す状態と成り、この状態で使用に供される。このとき、正座姿勢の両足がそれぞれ各支持脚３の外側に位置し、尻を着座させた両分割座板１、１からの荷重が調節脚２を介して両支持脚３で支持される。
使用後折り畳むときは、両支持脚３を内側に押し付けつつ両分割座板１の雌雄係合部５、６を下へ押圧すれば、各分割座板１は調節脚２の軸１３を中心に回動し、表面が折り重なるようにして畳まれ、図２に示すように二つ折りされる。支持脚３の底板２４に貫設された抜き穴２５は支持脚３から調節脚２を外すときに指を押し込むためのものである。このほか、図１６に示すように、支持脚３の内壁１９に形成する歯形２０を内壁１９の上端から下端に向けて降下する所要の傾斜角で成形すれば調節脚２が支持脚３から脱却し難くなり、抜け止め爪２２の省略も考えられる。
【産業上の利用可能性】
【０００８】
本発明は、屈曲自在なものから硬質材質の合成樹脂製で提供されるから、射出成形業界で利用される。
【図面の簡単な説明】
【０００９】
【図１】本発明の携帯用正座椅子Ａの斜視図。
【図２】携帯用正座椅子Ａの折畳み状態の斜視図。
【図３】分割座板１の平面図。
【図４】分割座板１の底面図。
【図５】図３のＡ−Ａ矢視断面図。
【図６】図３のＢ−Ｂ矢視断面図。
【図７】調節脚２の平面図。
【図８】調節脚２の底面図。
【図９】調節脚２の正面図。
【図１０】図７のＣ−Ｃ矢視断面図。
【図１１】支持脚３の平面図。
【図１２】支持脚３の底面図。
【図１３】図１１のＤ−Ｄ矢視断面図。
【図１４】支持脚３の正面図。
【図１５】図１１のＥ−Ｅ矢視断面図。
【図１６】支持脚３の内壁１９に形成する歯形２０の他の実施態様を示す断面図。
【符号の説明】
【００１０】
１：分割座板
２：調節脚
３：支持脚
４：座板本体
５：雄係合部
６：雌係合部
７：軸嵌合部
８：横部材
９：縦部材
１０：係合座
１１：抜き溝
１２：係止座
１３：軸
１４：歯形
１５：案内部
１６：スリット
１７：雄係合部
１８：雌係合部
１９：内壁
２０：歯形
２１：凸部
２２：抜け止め爪
２３：スリット
２４：底板
２５：抜き穴
２６：嵌合軸
２７：抜け止めキー
２８：嵌合穴
２９：挿通溝
３０：空室
３１：円筒軸受
３２：フック部
Ａ：携帯用正座椅子
【図１】
2005261823.tif 000003
【図２】
2005261823.tif 000004
【図３】
2005261823.tif 000005
【図４】
2005261823.tif 000006
【図５】
2005261823.tif 000007
【図６】
2005261823.tif 000008
【図７】
2005261823.tif 000009
【図８】
2005261823.tif 000010
【図９】
2005261823.tif 000011
【図１０】
2005261823.tif 000012
【図１１】
2005261823.tif 000013
【図１２】
2005261823.tif 000014
【図１３】
2005261823.tif 000015
【図１４】
2005261823.tif 000016
【図１５】
2005261823.tif 000017
【図１６】
2005261823.tif 000018